(57)【要約】【課題】腰に吊り下げる収納袋等の交換を極めて簡単に行えるようにすることにある。【解決手段】ズボン１のウエスト部の外面に、上半部分５１と下半部分５２及び両部分の間に境界部分５３を形成した縦長な帯布片５の上半部分５１の上端と下端とを上下に縫着することにより、前記上半部分５１の内側とウエスト部の外側との間にベルト通し部６３を形成し、前記帯布片５の上半部分５１と下半部５２とに、相互に面止着する面ファスナー６のループ片とフック片とを設け、面ファスナー６を止着した状態で前記境界部分５３により挿通空部５４を形成するようにした。【選択図】        図１
2004211224.tif 000002
【特許請求の範囲】
【請求項１】
ズボンのウエスト部の外面に、上半部分と下半部分及び両部分の間に境界部分を形成した縦長な帯布片の上半部分の上端と下端とを上下に縫着することにより、前記上半部分の内側とウエスト部の外側との間にベルト通し部を形成し、前記帯布片の上半部分と下半部とに、相互に面止着する面ファスナーのループ片とフック片とを設け、面ファスナーを止着した状態で前記境界部分により挿通空部を形成してなることを特徴とするズボンのベルトループ。
【発明の詳細な説明】
【０００１】
【発明の属する技術分野】
本発明は、ズボンのウエスト部外面に、縦方向にして縫着されるベルトループに関するものである。
【０００２】
【従来の技術】
土木建築業、製造業、清掃業、塗装業等において、作業員は作業現場や工場内等で必要に応じた治具や工具、及び缶入りの塗料、スプレー容器の洗浄剤等の原材料を使用しており、これ等の工具や原材料等は作業時に効率良く迅速に交換したり持ち換えが容易なように所定の収納袋に入れて腰に吊り下げているのが通常である。
【０００３】
そしてこの収納袋の吊り下げ方法としては、収納袋に形成した紐状のループをズボンのベルトに通し、腰からブラ下げて多種類の工具などを収納し、使用に供している。
【０００４】
【発明が解決しようとする課題】
しかし、作業内容によっては必要な工具や原材料を頻繁に交換するためにそれを収納する収納袋も交換しなければならないようなことが多々見られ、この交換は、先ずベルトを外し、そのベルトから収納袋を外して別の収納袋を吊り下げ直していたので極めて時間と手間がかかり、非能率的であった。
【０００５】
この時間や手間を避けるには、使用が予め想定される工具や材料のすべてを多数の収納袋に収納し、それら全てを腰に装着しておけば良いのであるが、極めて重量が有って腰への負担が大きくなり、作業動作しにくいだけでなく高所作業などでは危険ですらある。
【０００６】
したがって本発明は、上記した欠点、問題点、不都合を解決するために提案されたもので、腰に吊り下げる収納袋等の交換を極めて簡単に、容易にすることができるばかりでなく、工具などの出し入れに支障をきたさないようにしたことを目的とする。
【０００７】
【課題を解決するための手段】
前記目的を達成させるため本発明は、ズボンのウエスト部の外面に、上半部分と下半部分及び両部分の間に境界部分を形成した縦長な帯布片の上半部分の上端と下端とを上下に縫着することにより、前記上半部分の内側とウエスト部の外側との間にベルト通し部を形成し、前記帯布片の上半部分と下半部とに、相互に面止着する面ファスナーのループ片とフック片とを設け、面ファスナーを止着した状態で前記境界部分により挿通空部を形成してなることを特徴とするズボンのベルトループに関するものである。
【０００８】
【発明の実施の形態】
以下に本発明の実施の形態を図面に基いて説明すると、ズボン１のウエスト部２の外面には、本発明のベルトループ部３が縫着されている。
図面の実施例によれば、前記ベルトループ部３はウエスト部２の臀部近傍の左右に２ヵ所設けてあり、正面の２ヵ所及び背面には通常のベルトループ４を設けてあって、ズボン１を着用する場合には、ベルトを各ベルトループ部３及びベルトループ４に通すのである。
【０００９】
本発明のベルトループ部３は、比較的横幅が広い縦長な帯布片５を上下に区切って上半部分５１と下半部分５２とを設け、前記上半部分５１に面ファスナー６を構成するループ片とフック片のいずれか一方の第１片６１を、下半部分５２に他方の第２片６２をそれぞれ設け、上半部分５１と下半部分５２との間の境界部分５３を折り曲げながら下半部分５２を回動させ、上半部分５１に押圧させることによって、第１片６１と第２片６２とを面止着する。
そして、第１片６１と第２片６２とが面止着された状態では、前記境界部分５３によって挿通空部５４が形成される。
【００１０】
前記帯布片５は、上半部分５１の上端をウエスト部２の外面の上方部７に縫着すると共に、下端を下方部８にそれぞれ縫着して、ウエスト部２の外面と上半部分５１の内側との間にベルト通し部９が形成される。
したがって、帯布片５の上半部分５１の上下端部をウエスト部２の上下に縫着することによりベルト通し部９が形成され、また上半部分５１の外側に下半部分５２が着脱自在に止着することができ、上半部分５１に下半部分５２が止着された状態では、境界部分５３によって挿通空部５４が形成されるのである。
【００１１】
本発明の前記ベルトループ部３に取り付ける収納袋１１は、上端部に吊り下げリング１２が装着され、開口する内部に作業で使用する治具や工具、及び塗料や洗浄剤などの原材料を収納することができる。
前記収納袋１１をベルトループ部３に装着するには、二枚重ねとなっている帯布片５の上半部分５１と下半部分５２とを、面ファスナー６の第１片６１と第２片６２とを剥がして挿通空部５４を開放し、収納袋１１の吊り下げリング１２を下半部分５２に通して境界部分５３に位置させたら、下半部分５２を回動させて第１片６１に第２片６２を止着する。
【００１２】
これにより収納袋１１は、ベルトループ部３に確実且つ簡単に吊り下げ保持させることができるので、作業者の腰に収納袋１１が位置しているために、作業内容に応じて治具や工具、塗料や洗浄剤等を自由に使用できるし、また収納袋を簡単に交換することができる。
そして、収納袋１１を外すには、第１片６１と第２片６２とを剥離させ、下半部分５２を上半部分５１から外すだけでよい。
【００１３】
以上、本発明を図面の実施例に基づいて説明したが、本発明は上記した実施例に限定されるものではなく、特許請求の範囲に記載の構成を変更しない限りどのようにでも実施することができる。例えば、ベルトループ部はズボンのベルト位置であればどこに設けてもよい。
【００１４】
【発明の効果】
以上要するに本発明によれば、治具や工具、及び作業に必要な液などの原材料を収納する収納袋をベルトループに直接装着することができ、しかも着脱交換がきわめて容易であり、従って重量の嵩む工具類の多くを予め装着しておかなければならないといったこともない等、多くの優れた実用的効果を奏する。
【図面の簡単な説明】
【図１】本発明の一実施例を示す斜視図である。
【図２】使用状態の断面図である。
【図３】ズボンのウエスト部の展開図である。
【符号の説明】
１  ズボン
２  ウエスト部
３  ベルトループ部
４  ベルトループ
５  帯布片
６  面ファスナー
７  上方部
８  下方部
９  ベルト通し部
１１  収納袋
１２  吊り下げリング
５１  上半部分
５２  下半部分
５３  境界部分
５４  挿着空部
６１  ループ片とフック片のいずれか一方の第１片
６２  第２片
【図１】
2004211224.tif 000003
【図２】
2004211224.tif 000004
【図３】
2004211224.tif 000005